(57)【特許請求の範囲】
【請求項１】
シートサイズを記載した表示面を有する複数の表示部材とこれを表示する表示窓を有し、複数サイズのシートが選択的に収納可能なシートカセットにおいて、
前記複数の表示部材と一体的に回動可能な第一カム部と、
前記複数の表示部材と一体的に回動可能且つスライド可能な第二カム部と、
前記第一カム部と当接して動作可能な第一動作部と、
前記第二カム部と当接して動作可能な第二動作部と、
を有し、
前記第二動作部が前記第二カム部をスライド方向の一方へ押す力に抗するスライド方向の他方へ前記第二カム部を加圧する加圧手段を設けたことを特徴とするシートカセット。
【請求項２】
前記第一カム部を支持する軸を有し、該軸に前記第二カム部がスライド可能に設けられており、前記加圧部材は、前記第二動作部により押される方向と反対方向に前記第二カム部を加圧するために前記軸に巻回したコイルバネであることを特徴とする請求項１に記載のシートカセット。
【請求項３】
請求項１又は請求項２に記載のシートカセットを装着するためのカセット装着部と、
前記シートカセットの第一動作部及び第二動作部によってシートサイズを検出するためのシート検出手段と、
装着したシートカセットに収納したシートを搬送するための搬送手段と、
搬送されるシートに画像を形成するための画像形成手段と、
を有することを特徴とする画像形成装置。
【請求項４】
前記検知手段は、前記第一動作部によってシートのサイズを検知し、前記第二動作部によってシートの系列を検知することを特徴とする請求項３に記載の画像形成装置。
【発明の詳細な説明】
【０００１】
【発明の属する技術分野】
本発明はシートサイズを切り換え表示することが可能なシートカセット及びこれを装着して画像形成する画像形成装置に関する。
【０００２】
【従来の技術】
今日、画像形成装置等にあっては記録シートのセットを容易にすると共に、交換を容易にするために、シートカセットが用いられている。このシートカセットの中には、一つのシートカセットでＡ５、Ｂ５等の複数のサイズの記録シートが選択的に収納可能な、所謂ユニバーサルカセットがある。このユニバーサルカセットには、記録シートのサイズに対応して該シートの側端の位置を規制する側端規制部材と、記録シートの後端の位置を規制する後端規制部材が設けられおり、これらの規制部材がユーザーの操作によって所定方向に移動可能に構成されている。
【０００３】
前記ユニバーサルカセットはシートサイズを検出するために、例えば図７に示すように、使用する記録シートのサイズを画像形成装置に伝えるために、複数のレバー52，53をカセット本体51に回動可能に軸支すると共に一方に付勢し、同じく前記カセット本体51に回転可能、スライド可能に軸支して前記レバー52，53の各々に対応して当接する複数のカム54，55を設けている。
【０００４】
前記カム54，55のうち、一方のカム54はツマミ56の回転に伴って同方向に回転し、他方のカム55はツマミ56のスライドに伴って図７（ａ）又は図７（ｂ）に示す如く同方向にスライドするように構成されている。
【０００５】
そして、カセット本体51に収納した記録シートのサイズに応じて、前記ツマミ56を回転又はスライドさせて前記カム54を回転又は前記カム55をスライドさせると、このカム54の回転又はカム55のスライドに対応して各々のレバー52，53が回動する。この状態でユニバーサルカセットを画像形成装置本体に装着すると、例えば図７（ａ）に示すように、画像形成装置本体に備えた対応するマイクロスイッチ57が接片58を介して動作して前記記録シートのサイズが検出される。
【０００６】
更に、前記ツマミ56の回転又はスライドにより、これに連動して複数のサイズ表示部材（不図示）が回転又はスライドし、該サイズ表示部材のいずれかが前記カセット本体51に設けた表示窓（不図示）から表示され、これにより前記サイズ表示部材の表示面に記されたシートのサイズが表示される。
【０００７】
【発明が解決しようとする課題】
しかしながら、上記従来例では、カム55がスライドして図７（ａ）、（ｂ）に示す如き位置に移動するように構成されているが、図７（ａ）に示すように、前記カム55の位置を伝達するレバー53と該カム55との接点において、カム55にはレバー53の回転中心を中心とした力Ｆが加わり、この力Ｆの分力ｆ１がカム55の位置をずらす方向に働いているため、該分力ｆ１により前記カム55の位置が図７（ａ）に示す如き位置から図７（ｂ）に示す如き位置にずれてしまうおそれがあった。
【０００８】
これを防止するための簡単な位置決め機構として、例えば、図示していないが、前記カム55をスライドさせる操作レバーを設けると共に、該操作レバーをスライド方向に案内する横溝と図７（ａ）、（ｂ）に示す如き位置に係止する縦溝を設けた構成がある。
【０００９】
しかしながら、上記位置決め機構では、ユニバーサルカセットを画像形成装置本体に装着した際のショックにより、前記操作レバーが保持溝から外れてしまう場合があった。この場合、前述と同様に、前記分力ｆ１により前記カム55の位置がずれてしまうおそれがあった。特に、シート収納可能枚数が多い大容量のカセットの場合、装着時のショックも大きくなり易く、これに応じて前記カム55の位置がずれてしまう可能性も高くなる。
【００１０】
そこで、本発明の目的は、前記スライド可能なカムの位置ずれを防止することである。
【００１１】
【課題を解決するための手段】
上記目的を達成するための本発明に係る代表的な構成は、シートサイズを記載した表示面を有する複数の表示部材とこれを表示する表示窓を有し、複数サイズのシートが選択的に収納可能なシートカセットにおいて、前記複数の表示部材と一体的に回動可能な第一カム部と、前記複数の表示部材と一体的に回動可能且つスライド可能な第二カム部と、前記第一カム部と当接して動作可能な第一動作部と、前記第二カム部と当接して動作可能な第二動作部とを有し、前記第二動作部が前記第二カム部をスライド方向の一方へ押す力に抗するスライド方向の他方へ前記第二カム部を加圧する加圧手段を設けたことを特徴とする。
【００１２】
【発明の実施の形態】
以下、図面を参照しながら、本発明を適用したシートカセット及びこれを用いた画像形成装置の実施の形態について具体的に説明する。
【００１３】
〔第１実施形態〕
第１実施形態に係るシートカセット及びこれを用いた画像形成装置について図１〜図５を参照して詳しく説明する。尚、図１はコイルバネを第二カムとツマミとの間に配置した構造の説明図、図２は表示部材を切り換え表示する斜視説明図であり、図３は表示部材を切り換え表示する平面及び断面説明図、図４はシートカセットを用いた画像形成装置の構成模式説明図、図５はサイドガイド部材の構成説明図である。
【００１４】
ここでは説明の順序として、まずシートカセット及び画像形成装置の全体構成について説明し、次にシートカセットの構成及びシートサイズ表示構成等について説明する。
【００１５】
｛画像形成装置の全体構成｝
本実施形態に係る画像形成装置（レーザービームプリンタ）Ａは、図４に示すように、レーザースキャナー１から画像情報に基づいた情報光をドラム形状の電子写真感光体へ照射して前記感光体に潜像を形成し、この潜像を現像してトナー像を形成する。また、装置本体下部にはカセット装着部が設けてあり、この装着部に多数枚の記録シートＳを積層収納したシートカセットＢを着脱可能に装着してある。そして、前記トナー像の形成と同期して、記録シートＳをシートカセットＢからシート搬送手段２によって画像形成手段３へ搬送し、トナー画像を転写した後、定着手段４を経て排出部５へ排出するものである。
【００１６】
前記画像形成手段は、本実施形態では電子写真記録方式を用いており、電子写真感光体である感光体ドラム３ａや、図示しない一次帯電手段、現像手段、クリーニング手段をカートリッジ化したプロセスカートリッジ３ｂを画像形成装置Ａに対して着脱可能して構成している。そして、記録シートＳの搬送に同期して感光体ドラム３ａを回転すると共に、その表面を帯電手段によって一様に帯電し、前記レーザースキャナー１からの情報光を露光部を介して感光体ドラム３ａへ露光して潜像を形成する。この潜像に応じて現像手段によって摩擦帯電したトナーを転移させてトナー像を形成し、このトナー像を転写手段である転写ローラ６に前記トナー像と逆極性の電圧を印加して記録シートＳに転写して画像記録するものである。尚、トナー像を転写した後に感光体ドラム３ａに残留したトナーはクリーニング手段によって除去する。
【００１７】
一方、搬送手段は、シートカセットＢ内の記録シートＳを給送ローラ２ａ及び分離パッド２ｂの協働作用によって一枚ずつ分離給送し、且つ搬送ローラ対２ｃ及びレジストローラ対２ｄ等からなり、該レジストローラ対２ｄによってトナー像の形成と同期して画像形成手段へ搬送するものであり、前記転写ローラ６の電圧印加によってトナー像を転写したシートＳを定着手段４へ搬送し、この定着手段４で熱及び圧力を印加して転写トナーを定着し、画像定着後のシートＳを排出ローラ対２ｅ，２ｆによって装置上部に設けた排出部５へ排出するように構成している。
【００１８】
｛シートカセットの構成｝
次に前述した画像形成装置Ａに着脱可能に構成したユニバーサルカセットであるシートカセットＢについて説明する。
【００１９】
〈シートカセットの全体構成〉
図４において、シートカセットＢの枠組みを構成するカセット本体であるカセットトレイ７の内部には、該トレイ７に回動可能に取り付けられた圧接板８が設けてある。また、前記カセットトレイ７のシート給送側の底面には、前述した給送ローラ２ａに対応する前記圧接板８の背面の所定位置に当接する加圧バネ９が備えてあり、該加圧バネ９の弾性力によって圧接板８を給送ローラ２ａの方向に付勢している。
【００２０】
前記カセットトレイ７のシート給送方向後端部には該カセットトレイ７に対してシート給送方向に移動可能に構成した後端規制部材10が配置されていて、該後端規制部材10をシートＳの後端部に当接させて該シートＳの後端部の位置を規制するように構成している。
【００２１】
また、前記カセットトレイ７のシート給送方向に平行な側端部には、図５に示すように、シート３の一側端を突き当てる基準規制手段である右サイド規制部材11ａと、前記カセットトレイ７に対してシート幅方向に移動可能に備えた移動規制手段である左サイド規制部材11ｂが配置されていて、両規制手段によってシートＳの側端部の位置を規制するように構成している。
【００２２】
尚、本実施形態では前記サイド規制部材11ａ，11ｂによってシート幅方向中央部を基準として中央基準で給送するようにしている。即ち、カセットトレイ７の裏面側には、図５に示すように、ピニオンギア14が回転可能に取り付けてあり、このギア14にそれぞれのサイド規制部材11ａ，11ｂと一体的に設けたラック15ａ，15ｂが噛合し、両サイド規制部材11ａ，11ｂがシート幅方向中央を基準に左右対称で移動するものである。尚、図５（ａ）は幅広のシートを収納した状態を示し、図５（ｂ）は幅狭のシートを収納した状態を示している。
【００２３】
前記構成において、使用するシートＳのサイズに対応して前記後端規制部材10と両サイド規制部材11ａ，11ｂを各々移動させ、シート３の端部の位置を規制するように設定する。
【００２４】
上記状態でシートカセットＢをカセット装着部に装着すると、該装着部に設けたシートサイズ検出センサ12（図２参照）が動作してシートＳのサイズを検出し、画像形成装置本体に備えたコントローラーボード13によって給送ローラ２ａが図４の矢印方向に回転して最上層のシート一枚を分離給送するものである。
【００２５】
〈シートサイズ表示構成〉
次に前記シートカセットＢに収納した記録シートＳに対応して画像形成装置本体に設けたサイズ検出センサ12を動作させるための構成について、図２及び図３を参照して説明する。尚、図２（ａ）はレターサイズやリーガルサイズ等（Ｌ系列）シートサイズを使用するときに、サイズ検出センサ12を動作させる状態説明図であり、図２（ｂ）はＡ５サイズやＢ５サイズ等（Ａ系列）のシートサイズを使用するときに、サイズ検出センサ12を動作させる状態説明図である。また、図３（ａ）はシートサイズ検出部を上方から見た説明図であり、図３（ｂ）はＬ系列のシートサイズを検出するときの状態説明図、図３（ｃ）はＡ系列のシートサイズを検出するときの状態説明図である。
【００２６】
図２に示すように、カセットトレイ７には、軸28が回転可能に取り付けてある。この軸28には軸16が図３のＲ、Ｌ方向へスライド可能、且つ回転可能に取り付けてあり、この軸16にはシートサイズを表示するための複数の表示部材17が固着してある。尚、本実施形態ではＬ系列のシートサイズを表示する第一表示部材17ａと、Ａ系列のシートサイズを表示する第二表示部材17ｂの二個が軸のスライド方向に並列して設けた場合を例示している。
【００２７】
前記表示部材17ａ，17ｂは、共に多角柱に形成されており、第一表示部材17ａの各面には「レター」「リーガル」等のＬ系列のシートサイズが刻印等によって記載され、第二表示部材17ｂの各面には「Ａ５」「Ｂ５」等のＡ系列のシートサイズが刻印等により記載された表示面が形成されている。そして、前記カセットトレイ７の所定位置には、前記表示部材17ａ，17ｂの一個の表示面を露出させることが可能な表示窓19が設けてあり、この表示窓19から表示面を表示させることによってカセット内に収納したシートサイズを表示可能としている。
【００２８】
また、前記軸16の所定位置には切換レバー18が独立して回動可能に、且つ軸16と一体的にスライド可能に取り付けられている。このため、前記切換レバー18をもって軸16をＲ、Ｌ方向へスライドさせることにより、第一表示部材17ａ又は第二表示部材17ｂの何れかの表示面を表示窓19に位置させることができるようになっている。尚、前記切換レバー18は、図３（ａ）に示すように、カセットカバー20に形成したコ字状の溝20ａ，20ｂ，20ｃのうちの横溝20ａに沿ってＲ、Ｌ方向へスライド可能であり、縦溝20ｂ，20ｃに係止することによってスライド不能となる。
【００２９】
更に前記軸16にはツマミ21がスライド可能に取り付けてあり、このツマミ21を使用者が回転させることによって表示部材17ａ，17ｂが回転し、所望の表示面を表示窓19から露出させてシートサイズを表示することができるようになっている。尚、詳しくは図示しないが、前記ツマミ21はカセットトレイ７側に位置決め支持されており、前記軸16をスライドさせても位置移動しないように構成されている。
【００３０】
前記軸16をスライド可能に支持している軸28の一方端側には、前記ツマミ21の回転に伴って回転する複数の第一カム部22が設けてあり、この第一カム部22と対向する位置のカセットトレイ７上には軸23を中心に回動可能であり、且つ前記カム部22方向へ付勢された第一動作部である複数のレバー24が設けてある。このレバー24はツマミ21を回転して第一カム部22が回転したときに、その回転に伴って表示窓19から表示されたシートサイズに対応して所定のレバー24がカム部22によって回動する。この状態のシートカセットＢを装置本体に装着すると、前記レバー24が装置本体のサイズ検出センサ12を動作させる。これにより、前記サイズ検出センサ12はシートカセットＢに収納されているシートサイズを自動的に検出する。
【００３１】
また、前記軸16の一方端側には図１に示すように第二カム部25が一体的に設けてあり、これと対向する位置のカセットトレイ７上には軸23を中心に回動可能であり、且つ前記カム部25の方向へ付勢された第二動作部であるレバー26が設けてある。前記第二カム部25は軸16と一体的であるために、切換レバー18のスライドに伴ってＲ、Ｌ方向へスライド可能である。前記レバー26は切換レバー18をスライドさせて第二カム部25をスライドさせたときに、該第二カム部25のスライドに伴って後述する系列に対応して回動する。即ち、切換レバー18をＬ方向へスライドさせたときは、第二カム部25とレバー26のカム当接部26ａが当接して該レバー26が図１（ａ）に示す如き位置に回動し、切換レバー18をＲ方向へスライドさせたときは、第二カム部25からレバー26のカム当接部26ａが外れて該レバー26が図１（ｂ）に示す如き位置に回動する。
【００３２】
また、前記ツマミ21にはカセットトレイ７に取り付けられた弾性変形する爪27と係合可能な溝21ａが回転方向に複数設けてあり、ツマミ21を回転させたときに前記溝21ａと爪27とが係合することにより、ツマミ21が回転した位置でロックするようになっている。尚、このツマミ21に設けた溝21ａは、前記表示部材17の各表示面が表示窓から表示される位置と対応する位置に各々設けてある。
【００３３】
（第二カム部の加圧構成）
ここで、前記スライド可能な第二カム部25の加圧構成について図１を用いて説明する。尚、図１（ａ）及び図１（ｂ）はスライド可能な第二カム部とツマミとの間に配置したコイルバネの状態説明図である。
【００３４】
図１（ａ）に示すように、レバー26と第二カム部25との接点において、第二カム部25には、レバー26の軸23を中心とした力（図７（ａ）に示す力Ｆ）が作用している。この力の分力（図７（ａ）に示す分力ｆ１）により前記第二カム部25は図１（ａ）に示す如き位置から図１（ｂ）に示す如き位置にずれてしまう可能性がある。本発明では、これを防止するために、レバー26のカム当接部26ａが第二カム部25をＲ方向へ押す力（分力ｆ１）に抗する方向に前記第二カム部25を加圧するように構成としている。具体的には、加圧手段としてのコイルバネ29を第二カム部25とツマミ21との間に配設し、該コイルバネ29により前記第二カム部25を上記押す力（分力ｆ１）に抗する方向に加圧している。
【００３５】
この構成により、レバー26のカム当接部26ａが第二カム部25をＲ方向へ押す力（分力ｆ１）によって、前記第二カム部25が図１（ａ）に示す如き位置から図１（ｂ）に示す如き位置にずれてしまうのを防止することができる。
【００３６】
（シートの系列及びサイズの検出動作）
次に上記構成のシートカセットにおいて、収納するシートの系列及びサイズの検出動作について説明する。本実施形態では、Ｌ系列のシートを使用する場合とＡ系列のシートを使用する場合について説明する。
【００３７】
（Ｌ系列の検出動作）
まずＬ系列のシートを使用する場合には、図２（ａ）に示すように、切換レバー18をＬ方向へスライドさせ、溝20ｂ（図３（ａ）参照）に係止してロックする。この切換レバー18の操作に伴って第一表示部材17ａの表示面が表示窓19に移動し、該窓19からＬ系列のサイズを表示する。このとき、軸16もＬ方向へスライドし、該軸16の一端に設けられた第二カム部25は図１（ａ）に示す如き位置に移動し、これに対応するレバー26のカム当接部26ａが前記第二カム部25に当接して回動する。これにより、Ｌ系列のシートがシートカセットＢに収納されている状態であることを検出し得る状態となる。
【００３８】
上記状態でシートカセットＢに収納したシートサイズに合ったサイズが記載された表示面が表示窓19から表示されるようにツマミ21を回転させると、複数の第一カム部22のうちシートサイズに対応したカム部がこれに対応するレバー24のカム当接部24ａに当接して該レバー24を回動させ、残りのカム部はレバー24を回動させない。これにより、当該シートカセットＢを装置本体に装着すると、前記レバー24のセンサ当接部24ｂ及び前記レバー26のセンサ当接部（不図示）が装置本体に設けられた検出センサ12に当接して該センサ12を動作させる。この動作したセンサ12の組み合わせにより、Ｌ系列のシートサイズのうちの表示窓19から表示されたシートサイズであることを検出し、このシートサイズに合わせて所定の記録動作を行う。
【００３９】
（Ａ系列の検出動作）
次にＡ系列のシートを使用する場合には、図２（ｂ）に示すように、切換レバー18をＲ方向へスライドさせ、溝20ｃ（図３（ａ）参照）に係止してロックする。この切換レバー18の操作に伴って第二表示部材17ｂの表示面が表示窓19に移動し、該窓19からＡ系列のサイズを表示する。このとき、軸16もＲ方向へスライドし、該軸16の一端に設けられた第二カム部25は図１（ｂ）に示す如き位置に移動し、これに対応するレバー26のカム当接部26ａが前記第二カム部25から外れて回動する。これにより、Ａ系列のシートがシートカセットＢに収納されている状態であることを検出し得る状態となる。
【００４０】
上記状態でシートカセットＢに収納したシートサイズに合ったサイズが記載された表示面が表示窓19から表示されるようにツマミ21を回転させると、前述したＬ系列の場合と同様に、複数の第一カム部22のうちシートサイズに対応したカム部がこれに対応するレバー24のカム当接部24ａに当接して該レバー24を回動させ、残りのカム部はレバー24を回動させない。これにより、当該シートカセットＢを装置本体に装着すると、前記レバー24のセンサ当接部24ｂ及び前記レバー26のセンサ当接部（不図示）が装置本体に設けられた検出センサ12に当接して該センサ12を動作させる。この動作したセンサ12の組み合わせにより、Ａ系列のシートサイズのうちの表示窓19から表示されたシートサイズであることを検出し、このシートサイズに合わせて所定の記録動作を行う。
【００４１】
上記のように構成することにより、シートサイズを検出するためにカセットトレイ７に設けるカム形状を複雑にすることなく、またレバーの動作を検出するためのセンサを増加させることなく、一個のシートカセットによって多サイズのシート検出が可能となる。
【００４２】
また、前述したように、前記レバー26が第二カム部25をＲ方向に押す力（分力ｆ１）に抗する方向に前記第二カム部25を加圧するように構成することにより、前記レバー26が第二カム部25をＲ方向に押す力（分力ｆ１）によって前記第二カム部25が図１（ａ）に示す如き位置から図１（ｂ）に示す如き位置にずれてしまうのを防止することができる。
【００４３】
〔他の実施形態〕
前述した実施形態では、加圧手段としてのコイルバネ29を、第二カム部25とツマミ21との間に配置した構成を例示したが、本発明はこれに限定されるものではなく、例えば図６に示すように前記コイルバネ29を、第二カム部25が一体的に設けられたスライド可能な軸16の端面に配置した構成としても良い。この構成によっても同様の効果を得ることができる。
【００４４】
また前述した実施形態では、レバー26が第二カム部25をＲ方向に押す力（分力ｆ１）に抗する方向に前記第二カム部25を加圧する加圧手段として、コイルバネを例示したが、これに限定されるものではなく、例えば、同様の機能を有する板バネ、モールド材、スポンジ等であっても良い。
【００４５】
また前述した実施形態では、Ｌ系列のシートサイズを表示する第一表示部材と、Ａ系列のシートサイズを表示する第二表示部材の２つの表示部材を設けた構成を例示したが、本発明はこれに限定されるものではなく、シートサイズの系列や種類等に応じて適宜設ければ良い。
【００４６】
また前述した実施形態では画像形成装置における画像形成手段として、電子写真記録方式を例示したが、画像形成手段は他の記録方式、例えばインクジェット記録方式や熱転写記録方式等を採用することも可能である。
【００４７】
また前述した実施形態では、シートカセットとして、記録シート等の記録対象のシートを選択的に収納するカセットを例示したが、これに限定されるものではなく、例えば原稿等の読取対象のシートを選択的に収納するカセットの場合にも好適に用いることができる。
【００４８】
また前述した実施形態では、画像形成装置としてプリンタを例示したが、本発明はこれに限定されるものではなく、例えばスキャナ、複写機、ファクシミリ装置等の他の画像形成装置であっても良く、該画像形成装置に用いられるシートカセットに本発明を適用することにより同様の効果を得ることができる。
【００４９】
【発明の効果】
以上説明したように、本発明によれば、スライド可能な第二カム部が、第二動作部によるスライド方向一方への力に抗するスライド方向他方へ加圧されるように構成しているので、前記第二動作部によるスライド方向一方への力によって前記第二カム部が設定された位置からずれてしまうのを防止することができる。
【図面の簡単な説明】
【図１】コイルバネを第二カムとツマミとの間に配置した構造の説明図
【図２】表示部材を切り換え表示する斜視説明図
【図３】表示部材を切り換え表示する平面及び断面説明図
【図４】シートカセットを用いた画像形成装置の構成模式説明図
【図５】サイドガイド部材の構成説明図
【図６】コイルバネを第二カムに連動するスライド軸の端面に配置した構造の説明図
【図７】従来技術の説明図
【符号の説明】
Ａ    …画像形成装置
Ｂ    …シートカセット
Ｓ    …記録シート
１    …レーザースキャナー
２    …搬送手段
２ａ  …給送ローラ
２ｂ  …分離パッド
２ｃ  …搬送ローラ対
２ｄ  …レジストローラ対
２ｅ, ２ｆ…排出ローラ対
３    …画像形成手段
３ａ  …感光体ドラム
３ｂ  …プロセスカートリッジ
４    …定着手段
５    …排出部
６    …転写ローラ
７    …カセットトレイ
８    …圧接板
９    …加圧バネ
10    …後端規制部材
11ａ  …右サイド規制部材
11ｂ  …左サイド規制部材
12    …サイズ検出センサ
13    …コントローラーボード
14    …ピニオンギア
15ａ, 15ｂ…ラック
16    …軸
17    …表示部材
17ａ  …第一表示部材
17ｂ  …第二表示部材
18    …切換レバー
19    …表示窓
20    …カセットカバー
20ａ〜20ｃ…溝
21    …ツマミ
21ａ  …溝
22    …第一カム部
23    …軸
24    …レバー
24ａ  …カム当接部
24ｂ  …センサ当接部
25    …第二カム部
26    …レバー
26ａ  …カム当接部
27    …爪
28    …軸
29    …コイルバネ
【図１】
0003902858.tif 000002
【図２】
0003902858.tif 000003
【図３】
0003902858.tif 000004
【図４】
0003902858.tif 000005
【図５】
0003902858.tif 000006
【図６】
0003902858.tif 000007
【図７】
0003902858.tif 000008